(57)【特許請求の範囲】
【請求項１】
テープロールを回転可能に支持する円弧状のハブ部を有する一対の保持片と、上記両保持片の先端側に延在する側壁片の先端側上部に連結され、先端辺にテープを切断する切断刃を装着するテープ案内部と、上記テープ案内部の後端辺から上記ハブ部の上方側に延在するテープ押え片とを具備するハンドカッターであって、
上記両保持片を上記テープロールの軸線及び周方向に弾性変形可能に形成し、  上記両ハブ部の内方端同士を互いに当接可能に形成すると共に、両ハブ部の内方端に、上記テープロールの周方向において、それぞれ他方に設けられた係合凹部と係脱可能な係合凸部を形成し、
上記両ハブ部のテープロール支持面に、テープロールの周方向に延在する互いに平行な複数のガイドリブを形成してなることを特徴とするハンドカッター。
【請求項２】
請求項１記載のハンドカッターにおいて、
上記テープ押え片をテープ案内部の後端辺からテープロールの外周近傍に位置すべく円弧状に形成すると共に、テープロールに対する接離方向に弾性変形可能に形成し、かつ、上記テープ押え片の後端側下面にテープロールの外周面に当接係合可能な凸部を突設し、テープ押え片の上面には、互いに平行な複数の凹凸条を形成してなることを特徴とするハンドカッター。
【請求項３】
請求項１又は２記載のハンドカッターにおいて、
上記保持片及び側壁片の外側面の少なくとも上部側に、互いに平行な多数の凹凸細条を形成してなることを特徴とするハンドカッター。
【請求項４】
請求項１ないし３のいずれかに記載のハンドカッターにおいて、
上記テープ案内部の後端辺と側壁片との連結部に、テープ案内部の先端側に向かって延在するスリットを形成してなることを特徴とするハンドカッター。
【請求項５】
請求項１ないし４のいずれかに記載のハンドカッターにおいて、
上記保持片、テープ案内部及びテープ押え片を合成樹脂製部材にて形成し、上記切断刃をプレス加工により先端部にバリを有する波形状の刃部を有する略平坦状の金属製部材にて形成してなり、
上記切断刃は、後端辺に、上記テープ案内部から突出する取付用突起を嵌合する複数の取付孔を設けると共に、各取付孔から後端側に向かって、取付孔より幅の狭いスリットを設け、かつ、取付孔より内方の部位に工具挿入用スリットを設け、両端に位置する上記取付孔の切断刃端部からの距離を異なる寸法に形成したことを特徴とするハンドカッター。
【発明の詳細な説明】
【０００１】
【発明の属する技術分野】
この発明はハンドカッターに関するもので、更に詳細には、例えばロール状に巻回された粘着テープにて形成されるテープロールからテープを所定長さ引き出して切断するハンドカッターに関するものである。
【０００２】
【従来の技術】
従来のこの種のハンドカッターとして、図１０に示すような、テープロール（図示せず）を回転可能に支持する円弧状のハブ部１を有する一対の保持片２と、両保持片２の先端側に延在する側壁片３の先端側上部に連結され、先端辺にテープを切断する切断刃４を装着するテープ案内部５と、このテープ案内部５の後端辺からハブ部１の上方側に延在するテープ押え片６とを具備するハンドカッターが知られている。この場合、保持片２、側壁片３及びテープ案内部５は合成樹脂製部材にて形成され、切断刃４は、プレス加工された金属製部材にて形成されている。そして、切断刃４に設けられた複数の取付孔（図示せず）に、テープ案内部５から突出された取付用突起（図示せず）を嵌挿させ、突起の先端を溶融させて切断刃４をテープ案内部５に固着（装着）している。
【０００３】
このハンドカッターによれば、テープ案内部５の下部の案内面に沿つてテープロールからテープを引き出し、所望長さのテープを小出しにした状態でテープ押え片６をテープロールの外周面に押圧して、切断刃４でテープを切り取ることができる。
【０００４】
また、この種のハンドカッターは、テープロールのテープが空になった場合、空のテープローラを取り外し、新しいテープロールを交換できるように構成されており、一般に１０個程度のテープロールを使用した後に、廃棄されている。そのため、従来のハンドカッターにおいては、図１１に示すように、一方のハブ部１の内方端部の内周面に、ハブ部１の半径方向内方へ突出するリブ７を設け、他方のハブ部１の内方端部の内周面には、リブ７と嵌合可能な係合溝８を有する断面略コ字状の係合部９が設けられている。このように構成されるリブ７と係合部９との係合（嵌合）状態を解くには、図１１（ａ）に示す係合（嵌合）状態から、図１１（ｂ）に示すように、両ハブ部１をテープロールの半径方向の相反する方向に移動してリブ７と係合部９の係合溝８との係合（嵌合）を解除し、次いで、図１１（ｃ）に示すように、両ハブ部１をテープロールの軸線方向の相反する方向に移動して、係合（嵌合）を解除する。この状態で、テープロールの取り外し、あるいは、取付を行うことができる。
【０００５】
このように構成されるハンドカッターにおいては、テープロールの装着時には、テープロールが不用意に外れないように、リブ７と係合部９との係合（嵌合）が強固で確実でなければならない。反面、空のテープロールの取り外しや新規のテープロールの取付時には、リブ７と係合部９との係合（嵌合）が容易に解除できる方が好ましい。
【０００６】
また、テープロールの交換を繰り返し行った後に、廃棄処分する場合、環境面の保護を図る上で、保持片２、側壁片３及びテープ案内部５からなる合成樹脂製のハンドカッター本体から金属製の切断刃４を分別できるようにする方が好ましいとされている。
【０００７】
【発明が解決しようとする課題】
しかしながら、従来のハンドカッターにおいては、一方のハブ部１の内方端部の内周面に、ハブ部１の半径方向内方へ突出するリブ７を設け、他方のハブ部１の内方端部の内周面に、リブ７と嵌合可能な係合溝８を有する断面略コ字状の係合部９を設ける構造であるため、リブ７と係合部９との係合（嵌合）を解除させるには、ハブ部１とテープロールの内周面（具体的にはテープロールの円筒状コアの内周面）との間にある程度の隙間を設ける必要がある。しかし、ハブ部１がテープロールを支持するためには、この隙間は必要以上に大きく取ることができない。したがって、リブ７と係合部９との係合（嵌合）を解除するには、係合部９を有するハブ部１をテープロールの半径方向の内方側への移動量を大きくしなければならず、テープロールの取り外し、取付が面倒であるという問題がある。また、テープロールの取り外し、取付を容易にするために、リブ７の高さ及び係合溝８の深さを低くすると、係合（嵌合）状態が不安定となり、不用意に係合（嵌合）が解除してテープロールにガタツキが生じたり、テープロールが脱落する恐れがある。なお、リブ７と係合部９との係合（嵌合）あるいは解除を行う際に両ハブ部１をテープロールの周方向の相反する方向に移動させることも考えられるが、これにおいても、ハブ部１とテープロールの内周面（具体的にはテープロールの円筒状コアの内周面）との隙間は、上述したように大きく取ることができない関係で、リブ７と係合部９との係脱操作を容易にすることができない。また、このような係脱操作を容易にすると、係合（嵌合）状態が不十分になる恐れがある。
【０００８】
また、上記従来のハンドカッターにおいては、切断刃４に設けられた複数の取付孔（図示せず）に、テープ案内部５から突出された取付用突起（図示せず）を嵌挿させ、突起の先端を溶融させて切断刃４をテープ案内部５に固着（装着）しているため、廃棄処分の際、保持片２、側壁片３及びテープ案内部５からなる合成樹脂製のハンドカッター本体から金属製の切断刃４を分別するのが面倒であるという問題もあった。
【０００９】
この発明は、上記事情に鑑みなされたもので、テープロールの取り外し、取付を容易に行えるようにし、また、廃棄時には、切断刃の分別を容易にしたハンドカッターを提供することを目的とするものである。
【００１０】
【課題を解決するための手段】
上記目的を達成するために、この発明のハンドカッターは、テープロールを回転可能に支持する円弧状のハブ部を有する一対の保持片と、上記両保持片の先端側に延在する側壁片の先端側上部に連結され、先端辺にテープを切断する切断刃を装着するテープ案内部と、上記テープ案内部の後端辺から上記ハブ部の上方側に延在するテープ押え片とを具備するハンドカッターであって、  上記両保持片を上記テープロールの軸線及び周方向に弾性変形可能に形成し、  上記両ハブ部の内方端同士を互いに当接可能に形成すると共に、両ハブ部の内方端に、上記テープロールの周方向において、それぞれ他方に設けられた係合凹部と係脱可能な係合凸部を形成し、  上記両ハブ部のテープロール支持面に、テープロールの周方向に延在する互いに平行な複数のガイドリブを形成してなることを特徴とする。
【００１２】
また、上記テープ押え片をテープ案内部の後端辺からテープロールの外周近傍に位置すべく円弧状に形成すると共に、テープロールに対する接離方向に弾性変形可能に形成し、かつ、上記テープ押え片の後端側下面にテープロールの外周面に当接係合可能な凸部を突設し、テープ押え片の上面には、互いに平行な複数の凹凸条を形成する方が好ましい（請求項２）。この場合、凸部の形状は、例えば円形、楕円形、矩形等任意の形状であってもよいが、好ましくは、テープ押え片の後端に接する位置に設ける方がよい。
【００１３】
また、上記保持片及び側壁片の外側面の少なくとも上部側に、互いに平行な多数の凹凸細条を形成する方が好ましい（請求項３）。
【００１４】
また、上記テープ案内部の後端辺と側壁片との連結部に、テープ案内部の先端側に向かって延在するスリットを形成する方が好ましい（請求項４）。
【００１５】
また、請求項５記載のハンドカッターは、上記請求項１ないし４のいずれかに記載のハンドカッターにおいて、  上記保持片、テープ案内部及びテープ押え片を合成樹脂製部材にて形成し、上記切断刃をプレス加工により先端部にバリを有する波形状の刃部を有する略平坦状の金属製部材にて形成してなり、  上記切断刃は、後端辺に、上記テープ案内部から突出する取付用突起を嵌合する複数の取付孔を設けると共に、各取付孔から後端側に向かって、取付孔より幅の狭いスリットを設け、かつ、取付孔より内方の部位に工具挿入用スリットを設け、両端に位置する上記取付孔の切断刃端部からの距離を異なる寸法に形成したことを特徴とする。
【００１６】
請求項１記載の発明によれば、両保持片をテープロールの軸線及び周方向に弾性変形可能に形成し、両ハブ部の内方端同士を互いに当接可能に形成すると共に、両ハブ部の内方端に、テープロールの周方向において、それぞれ他方に設けられた係合凹部と係脱可能な係合凸部を形成することにより、２箇所の係合凹部と係合凸部が係合するので、両ハブ部の係合を強固かつ確実にすることができる。また、両ハブ部をテープロールの周方向における相反する方向に移動して係合凹部と係合凸部の係合を解除することができるので、係合凹部と係合凸部の長さを短くすることができると共に、ハブ部の移動量を小さくすることができる。したがって、テープロールの取り外し及び取付を容易にすることができる。
【００１７】
また、両ハブ部のテープロール支持面に、テープロールの周方向に延在する互いに平行な複数のガイドリブを形成することにより、ハブ部の移動に方向性を持たせることができ、係合凹部と係合凸部の係脱操作を円滑にすることができる。
【００１８】
請求項２記載の発明によれば、テープ押え片をテープ案内部の後端辺からテープロールの外周近傍に位置すべく円弧状に形成すると共に、テープロールに対する接離方向に弾性変形可能に形成し、かつ、テープ押え片の後端側下面にテープロールの外周面に当接係合可能な凸部を突設し、テープ押え片の上面には、互いに平行な複数の凹凸条を形成するので、テープロールから引き出されたテープを切断する際に、複数の凹凸条により滑りを防止することができると共に、凸部を確実にテープロールの外周面に当接係合することができる。
【００１９】
請求項３記載の発明によれば、保持片及び側壁片の外側面の少なくとも上部側に、互いに平行な多数の凹凸細条を形成することにより、テープロールからテープを引き出す際の掌の滑りを防止することができる。また、保持片及び側壁片の外側面の少なくとも上部側全域に渡って互いに平行な多数の凹凸細条を形成することにより、美観の向上を図ることができる。
【００２０】
請求項４記載の発明によれば、テープ案内部の後端辺と側壁片との連結部に、テープ案内部の先端側に向かって延在するスリットを形成することにより、保持片及び側壁片の外方への変形をし易くすることができるので、テープロールの交換を容易にすることができる。また、上記スリットを設けることにより、保持片及び側壁片を外方へ変形させた際に側壁片とテープ案内部との連結部に亀裂が生じるのを防止することができる。
【００２１】
請求項５記載の発明によれば、切断刃は、後端辺に、テープ案内部から突出する取付用突起を嵌合する複数の取付孔を設けると共に、各取付孔から後端側に向かって、取付孔より幅の狭いスリットを設け、かつ、取付孔より内方の部位に工具挿入用スリットを設けることにより、工具挿入用スリットに工具例えばドライバ等を挿入すると共に係合させて切断刃を後端側に押圧させると、取付用突起は取付孔からスリットを介して係合が解かれるので、容易に切断刃を分別することができる。また、両端に位置する取付孔の切断刃端部からの距離を異なる寸法に形成することにより、切断刃を適正状態、すなわちバリを有する面をテープ面に当たるように取り付けることができ、取付の間違えを防止することができる。
【００２２】
【発明の実施の形態】
以下に、この発明のハンドカッターの実施の形態を添付図面に基づいて詳細に説明する。
【００２３】
図１は、この発明のハンドカッターの使用状態を示す斜視図、図２は、上記ハンドカッターを示す斜視図（ａ）、ハンドカッターの係合凹部と係合凸部の係合状態を示す背面図（ｂ）及びハンドカッターの係合凹部と係合凸部の係合解除状態を示す背面図（ｃ）、図３は、上記ハンドカッターの使用状態を示す側面図である。
【００２４】
上記ハンドカッターは、テープロールＲを回転可能に支持する円弧状のハブ部１０を有する一対の保持片１２と、両保持片１２の先端側に延在する側壁片１４の先端側上部に連結され、先端辺にテープロールＲから引き出されたテープＴを切断する切断刃３０を装着するテープ案内部１６と、このテープ案内部１６の後端辺からハブ部１０の上方側に延在するテープ押え片１８とで主要部が構成されている。この場合、保持片１２、側壁片１４、テープ案内部１６及びテープ押え片１８からなるハンドカッター本体２０は、合成樹脂製部材例えばポリスチレン、ポリプロピレンあるいはＡＢＳ樹脂等にて形成されており、切断刃３０は、プレス加工された板状の金属製部材にて形成されている。
【００２５】
上記のように構成されるハンドカッターにおいて、両保持片１２は、テープロールＲの軸線及び周方向に弾性変形可能に形成されている。また、両ハブ部１０の内方端同士は、互いに当接可能に形成されると共に、両ハブ部１０の内方端には、テープロールＲの周方向において、それぞれ他方に設けられた係合凹部２１ａ，２１ｂと係脱可能な係合凸部２２ａ，２２ｂが形成されている。すなわち、図４に示すように、係合凹部２１ａ，２１ｂと係合凸部２２ａ，２２ｂは、それぞれ開口部と先端部が同一方向に設けられた状態で、ハブ部１０の後端側の内方端部に連接して設けられている。この場合、係合凹部２１ａ，２１ｂは、ハブ部１０の内方端に設けられた当接壁面１１から対向するハブ部１０の当接壁面１１に向かって突出されると共に、開口部が対向して設けられている。なお、この場合、係合凹部２１ａ，２１ｂの内方側側壁２１ｃの先端部には、係合が解除された状態で互いの干渉を回避するためのテーパ部２３ａが設けられている。また、係合凸部２２ａ，２２ｂの先端部には、係合凹部２１ａ，２１ｂとの係合の際の挿入を容易にするためのテーパ部２３ｂが設けられている。
【００２６】
上記のように構成される係合凹部２１ａ，２１ｂと係合凸部２２ａ，２２ｂとを係合させる場合は、図２（ｂ）及び図４（ａ）に示すように、両ハブ部１０をテープロールＲの周方向における係合凹部２１ａ，２１ｂと係合凸部２２ａ，２２ｂが互いに近接する方向に移動させて、一方の係合凹部２１ａに他方の係合凸部２２ｂを係合させると共に、他方の係合凹部２１ｂに一方の係合凸部２２ａを係合させる。このように、双方の係合凹部２１ａ，２１ｂと係合凸部２２ａ，２２ｂとを噛合い状態で係合することにより、両ハブ部１０の係合を強固かつ確実にすることができる。
【００２７】
次に、係合凹部２１ａ，２１ｂと係合凸部２２ａ，２２ｂとの係合を解除させる場合は、図４（ｂ）に示すように、両ハブ部１０をテープロールＲの周方向における係合凹部２１ａ，２１ｂと係合凸部２２ａ，２２ｂが互いに離反する方向に移動させて、両係合凹部２１ａ，２１ｂと係合凸部２２ａ，２２ｂとの係合を解除することができる。この場合、図２に示すように、両ハブ部１０の内周面に、係合凹部２１ａ，２１ｂと係合凸部２２ａ，２２ｂとの係合を解除する方向を示唆するための矢印２４を施しておけば、係合凹部２１ａ，２１ｂと係合凸部２２ａ，２２ｂとの係合解除を容易にすることができる。このように、互いに噛み合った両係合凹部２１ａ，２１ｂと係合凸部２２ａ，２２ｂを離反する方向に移動させて係合を解除することができるので、ハブ部１０のテープロールＲの周方向移動量すなわち弾性変形量を少なくすることができる。したがって、ハブ部１０とテープロールＲの内周面（具体的には、円筒状コアＲａの内周面）との隙間を大きくする必要がなく、テープロールＲをガタツキなく安定した状態に取り付けることができる。
【００２８】
係合凹部２１ａ，２１ｂと係合凸部２２ａ，２２ｂとの係合を解除した後、図４（ｃ）に示すように、両ハブ部１０を外方側に移動させて、空のテープロールＲをハンドカッター本体２０から取り外すことができる。
【００２９】
新規のテープロールＲを取り付ける場合は、上記操作と逆の動作を行えばよい。すなわち、係合凹部２１ａ，２１ｂと係合凸部２２ａ，２２ｂとの係合を解除した後、両ハブ部１０及び保持片１２を外側に開いて、新規のテープロールＲを取り付けることができる。
【００３０】
上記両ハブ部１０の外周側のテープロール支持面１０ａには、テープロールＲの周方向に延在する互いに平行な複数例えば４本のガイドリブ１３が形成されている。このように、テープロール支持面１０aに、テープロールＲの周方向に延在する互いに平行な複数のガイドリブ１３を設けることにより、テープロールＲの周方向へのハブ部１０の移動に方向性を持たせることができる。したがって、係合凹部２１ａ，２１ｂと係合凸部２２ａ，２２ｂの係合操作及び係合解除操作を容易にかつ確実に行えるようにすることができる。
【００３１】
また、上記テープ押え片１８は、テープ案内部１６の後端辺から後方に向かって延在する首部１８ａと、この首部１８ａの先端すなわち後端側に首部１８ａの幅より広い幅にて延在する押え片本体１８ｂとで構成されている。このテープ押え片１８は、テープロールＲの外周近傍に位置すべく円弧状に形成されると共に、テープロールＲに対する接離方向に弾性変形可能に形成されている。また、テープ押え片１８の押え片本体１８ｂの後端側下面には、テープロールＲの外周面に当接係合可能な例えば円形状の凸部２５が突設され、テープ押え片１８の押え片本体１８ｂの上面には、互いに平行な複数の凹凸条２６が形成されている。
【００３２】
このように構成されるテープ押え片１８によれば、テープロールＲからテープＴを引き出した状態で、テープ押え片１８の押え片本体１８ｂをテープロールＲに向かって押圧することにより、凸部２５がテープロールＲの外周面に当接係合してテープロールＲの回転を停止することができる。したがって、テープ押え片１８でテープロールＲの回転を停止した状態で引き出されたテープＴを切断刃３０によって切断することができる。
【００３３】
なお、上記説明では、テープ押え片１８の後端側下面に円形の凸部２５を突設した場合について説明したが、図８に二点鎖線で示すように、テープ押え片１８の後端に向かって延在する細長状例えば略楕円形状の凸部２５Ａとしてもよい。このように、凸部２５Ａをテープ押え片１８の後端に向かって延在する細長状（例えば略楕円形状）とすることにより、使用によってテープロールＲが小径になった場合においても凸部２５Ａを確実にテープロールＲの外周面に当接係合することができる。
【００３４】
また、上記保持片１２及び側壁片１４の外側面の少なくとも上部側全域（図面では外側面の上半分の場合を示す）には、互いに平行な多数の凹凸細条２７が形成されている。このように、保持片１２及び側壁片１４の外側面の少なくとも上部側全域に、互いに平行な多数の凹凸細条２７を形成することにより、テープロールＲからテープＴを引き出す際の掌の滑りを防止することができる。また、保持片１２及び側壁片１４の外側面の少なくとも上部側全域に渡って互いに平行な多数の凹凸細条２７を形成することにより、美観の向上を図ることができる。
【００３５】
なお、両側壁片１４の下部部位の内側面には、平坦片２８ａと、この平坦片２８ａの後端側から下方に傾斜状に折曲する支持片２８ｂとからなる断面略Ｖ字状のテープ係止部２８が突設されている（図５〜図８参照）。このように、両側壁片１４の下部部位の内側面に、平坦片２８ａと、この平坦片２８ａの後端側から下方に傾斜状に折曲する支持片２８ｂとからなる断面略Ｖ字状のテープ係止部２８を突設することにより、使用時に引き出されて切断されたテープＴの先端部の粘着面をテープ係止部２８の平坦片２８ａに貼付することができる。したがって、次の使用の時に、テープＴをテープ係止部２８から剥がしてテープロールＲから容易にテープＴを引き出すことができる。
【００３６】
また、上記テープ案内部１６の後端辺１６ａと両側壁片１４との連結部には、テープ案内部１６の先端側に向かって延在するスリット１５が形成されている（図１、図２及び図７参照）。このように、テープ案内部１６の後端辺１６ａと両側壁片１４との連結部に、テープ案内部１６の先端側に向かって延在するスリット１５を形成することにより、保持片１２及び側壁片１４の外方への変形をし易くすることができるので、テープロールＲの交換を容易にすることができる。また、スリット１５を設けることにより、保持片１２及び側壁片１４を外方へ変形させた際に側壁片１４とテープ案内部１６との連結部に亀裂が生じるのを防止することもできる。
【００３７】
一方、上記切断刃３０は、図９に示すように、プレス加工によって先端辺にバリを有する波形状の刃部３１を具備すると共に、刃部３１のバリ側面が若干傾斜状に折曲例えば１５度の角度に折曲されている（図９（ｃ），（ｄ）参照）。
【００３８】
また、切断刃３０は、この切断刃３０の後端辺１６ａに、上記テープ案内部１６から突出する取付用突起１６ｂを嵌合する複数例えば３個の取付孔３２ａ，３２ｂ，３２ｃが設けられると共に、各取付孔３２ａ，３２ｂ，３２ｃから後端側に向かって、取付孔３２ａ，３２ｂ，３２ｃより幅の狭いスリット３３が設けられている。また、切断刃３０における取付孔３２ａ，３２ｂ，３２ｃより内方の部位に例えばドライバ等の工具挿入用スリット３４が例えば２個設けられている。この場合、両端に位置する取付孔３２ａ，３２ｃの切断刃端部３０ａからの距離Ｌ１，Ｌ２は異なる寸法すなわちＬ１≠Ｌ２（Ｌ１＜Ｌ２）となるように形成されている。このように、両端に位置する取付孔３２ａ，３２ｃの切断刃端部３０ａからの距離Ｌ１，Ｌ２を異なる寸法にすることにより切断刃３０を適正状態、すなわちバリを有する面をテープ面に当たるように取り付けることができ、取付の間違えを防止することができる。
【００３９】
上記のように構成される切断刃３０は、テープ案内部１６から突出する取付用突起１６ｂを各取付孔３２ａ，３２ｂ，３２ｃに嵌挿させ、上方に突出する取付用突起１６ｂの先端部分を溶融させることにより、テープ案内部１６の下面側に固着される（図９（ａ）参照）。この際、切断刃３０の後端辺１６ａは、テープ案内部１６の下面に突設された垂下壁１６ｃに当接されて位置決めされる。
【００４０】
ハンドカッターの繰り返し使用例えばテープロールＲを１０回交換した後、ハンドカッターを廃棄する場合には、工具挿入用スリット３４に工具例えばドライバ等を挿入すると共に係合させて切断刃３０を後端側に押圧させると、取付用突起１６ｂは取付孔３２ａ，３２ｂ，３２ｃからスリット３３を介して係合が解かれるので、容易に切断刃３０を分別することができる。したがって、合成樹脂製のハンドカッター本体２０と金属製の切断刃３０を分別して回収して廃棄処分することができるので、環境面の保護が図れるという効果が得られる。
【００４１】
なお、切断刃３０を上記のように構成することにより、この発明のハンドカッター以外のハンドカッターにも適用することができ、廃棄処分の際に容易にハンドカッター本体から切断刃３０を分別することができる。
【００４２】
【発明の効果】
以上に説明したように、この発明のハンドカッターは、上記のように構成されているので、以下のような効果が得られる。
【００４３】
（１）請求項１記載の発明によれば、両保持片をテープロールの軸線及び周方向に弾性変形可能に形成し、両ハブ部の内方端同士を互いに当接可能に形成すると共に、両ハブ部の内方端に、テープロールの周方向において、それぞれ他方に設けられた係合凹部と係脱可能な係合凸部を形成することにより、２箇所の係合凹部と係合凸部が係合するので、両ハブ部の係合を強固かつ確実にすることができる。また、両ハブ部をテープロールの周方向における相反する方向に移動して係合凹部と係合凸部の係合を解除することができるので、係合凹部と係合凸部の長さを短くすることができると共に、ハブ部の移動量を小さくすることができる。したがって、テープロールの取り外し及び取付を容易にすることができる。
【００４４】
（２）また、両ハブ部のテープロール支持面に、テープロールの周方向に延在する互いに平行な複数のガイドリブを形成することにより、ハブ部の移動に方向性を持たせることができ、係合凹部と係合凸部の係脱操作を円滑にすることができるので、上記（１）に加えて更にテープロールの交換を容易にすることができる。
【００４５】
（３）請求項２記載の発明によれば、テープロールから引き出されたテープを切断する際に、複数の凹凸条により滑りを防止することができると共に、凸部を確実にテープロールの外周面に当接係合することができるので、上記（１），（２）に加えて、更にテープの切断を容易かつ確実にすることができる。
【００４６】
（４）請求項３記載の発明によれば、保持片及び側壁片の外側面の少なくとも上部側に、互いに平行な多数の凹凸細条を形成することにより、テープロールからテープを引き出す際の掌の滑りを防止することができる。また、保持片及び側壁片の外側面の少なくとも上部側全域に渡って互いに平行な多数の凹凸細条を形成することにより、美観の向上を図ることができる。したがって、上記（１）〜（３）に加えて、更に操作性の向上及び美観の向上が図れる。
【００４７】
（５）請求項４記載の発明によれば、保持片及び側壁片の外方への変形をし易くすることができるので、テープロールの交換を容易にすることができ、また、保持片及び側壁片を外方へ変形させた際に側壁片とテープ案内部との連結部に亀裂が生じるのを防止することができる。したがって、上記（１）〜（４）に加えて、更にテープロールの交換を容易にすることができると共に、ハンドカッターの寿命の増大を図ることができる。
【００４８】
（６）請求項５記載の発明によれば、保持片、テープ案内部及びテープ押え片からなるハンドカッター本体に対して容易に切断刃を分別することができるので、上記（１）〜（５）に加えて、更に廃棄処分時の回収を容易にすることができると共に、環境面の保護を図ることができる。また、両端に位置する取付孔の切断刃端部からの距離を異なる寸法に形成することにより、切断刃を適正状態、すなわちバリを有する面をテープ面に当たるように取り付けることができ、取付の間違えを防止することができる。
【図面の簡単な説明】
【図１】この発明のハンドカッターの使用状態の一例を示す斜視図である。
【図２】上記ハンドカッターの斜視図（ａ）、ハンドカッターの係合凹部と係合凸部とが係合された状態の背面図（ｂ）及び係合凹部と係合凸部の係合が解除された状態の背面図（ｃ）である。
【図３】上記ハンドカッターの側面図である。
【図４】上記ハンドカッターの係合凹部と係合凸部とが係合された状態を示す説明図（ａ）、上記係合凹部と係合凸部を離反する方向に移動した状態を示す説明図（ｂ）及び係合凹部と係合凸部の係合の解除状態を示す説明図（ｃ）である。
【図５】上記ハンドカッターの側断面図である。
【図６】上記ハンドカッターの正面図である。
【図７】上記ハンドカッターの平面図である。
【図８】上記ハンドカッターの底面図である。
【図９】この発明における切断刃の取付状態を示す平面図（ａ）、上記切断刃の平面図図（ｂ）、（ｂ）のＩ部を示す拡大図（ｃ）及び（ｃ）のII−II矢視図（ｄ）である。
【図１０】従来のハンドカッターを示す斜視図である。
【図１１】従来のハンドカッターにおけるハブ部の係合解除手順を示す斜視図である。
【符号の説明】
１０  ハブ部
１０ａ  テープロール支持面
１２  保持片
１３  ガイドリブ
１４  側壁片
１５  スリット
１６  テープ案内部
１６ｂ  取付用突起
１８  テープ押え片
２０  ハンドカッター本体
２１ａ，２１ｂ  係合凹部
２２ａ，２２ｂ  係合凸部
２５，２５Ａ  凸部
２６  凹凸条
２７  凹凸細条
３０  切断刃
３０ａ  端部
３１  刃部
３２ａ，３２ｂ，３２ｃ  取付孔
３３  スリット
３４  工具挿入用スリット
Ｒ  テープロール
Ｔ  テープ
【図１】
0004079245.tif 000002
【図２】
0004079245.tif 000003
【図３】
0004079245.tif 000004
【図４】
0004079245.tif 000005
【図５】
0004079245.tif 000006
【図６】
0004079245.tif 000007
【図７】
0004079245.tif 000008
【図８】
0004079245.tif 000009
【図９】
0004079245.tif 000010
【図１０】
0004079245.tif 000011
【図１１】
0004079245.tif 000012